(57)【要約】【課題】識別機の電磁波干渉および静電干渉を防止するレンズモジュールを提供する。【解決手段】レンズ台１が回路基板５上に固定され、レンズ台１内部には複数の穿孔１２が設けられ、レンズ台１は導電材料から製造されるか、外縁表面に導電層４が鍍金される。レンズ台１上方にはレンズセット２が固定され、回路基板５上には複数の識別部材５１が電気的に接続され、複数の識別部材５１はレンズ台１の穿孔１２底部に位置し、穿孔１２上方のレンズセット２と対応する。複数の識別部材５１の周囲にはアース部５２が設置され、アース部５２とレンズ台１の導電材料とがアース回路を形成することによって識別部材５１外縁に電磁遮蔽を形成し、更に、蓄積した静電気を吸収して回路基板５のアース部５２に導いて除去する。【選択図】図２
0003135140.tif 000002
【実用新案登録請求の範囲】
【請求項１】
識別機内に使用され、紙幣、有価証券または証明証の識別を行うレンズモジュールであり、
前記レンズモジュールのレンズ台は予め設けられた回路基板上に固定され、レンズ台内部には複数の穿孔が設けられ、レンズ台表面には導電層が設けられ、
前記レンズモジュールのレンズセットはレンズ台上方に固定され、
複数の識別部材が前記回路基板上に電気的に接続され、前記複数の識別部材はレンズ台の穿孔底部に位置し、前記穿孔上方のレンズセットとお互いに対応し、前記回路基板上の複数の識別部材の周囲にはアース部が設置され、前記アース部と前記レンズ台の導電層とによってアース回路が形成されることを特徴とする電磁波干渉および静電干渉を防止するレンズモジュール。
【請求項２】
前記レンズ台上表面には、前記レンズセットが固定される環状槽が凸設されることを特徴とする請求項１記載の電磁波干渉および静電干渉を防止するレンズモジュール。
【請求項３】
前記レンズ台外側辺には前記回路基板上に螺合固定される螺合部がそれぞれ設けられ、前記回路基板のアース部には螺合孔が設けられ、ボルトが前記回路基板背面から前記螺合孔を貫通して前記螺合部内に螺合固定されることを特徴とする請求項１記載の電磁波干渉および静電干渉を防止するレンズモジュール。
【請求項４】
前記レンズセットは平坦なベース部を備え、前記ベース部上表面には複数の配列した円弧凸部が設けられ、前記ベース部下表面には前記円弧凸部に対応した複数の平坦部が設けられ、前記平坦部は円柱状を呈し、対応する前記穿孔内に固定されることを特徴とする請求項１記載の電磁波干渉および静電干渉を防止するレンズモジュール。
【請求項５】
前記レンズセット上方には上蓋が設置され、前記レンズ台とモジュール構造を形成し、前記上蓋側辺には下方に湾曲した掛合片が設けられ、前記レンズ台側辺表面には前記掛合片に対応した掛合部が凸設されることを特徴とする請求項１記載の電磁波干渉および静電干渉を防止するレンズモジュール。
【請求項６】
前記上蓋表面には複数の配列した貫通孔が設けられ、前記複数の貫通孔は前記レンズセットの円弧凸部に対応することを特徴とする請求項５記載の電磁波干渉および静電干渉を防止するレンズモジュール。
【請求項７】
前記導電層は、亜鉛、ニッケル、銅、その他金属または金属合金などの導電率の優れた材料からなることを特徴とする請求項１記載の電磁波干渉および静電干渉を防止するレンズモジュール。
【請求項８】
前記複数の識別部材は、ＬＥＤまたは光受信器であることを特徴とする請求項１記載の電磁波干渉および静電干渉を防止するレンズモジュール。
【請求項９】
前記複数の識別部材の接続脚と前記回路基板のアース部とは分離していることを特徴とする請求項１記載の電磁波干渉および静電干渉を防止するレンズモジュール。
【請求項１０】
前記レンズモジュールは、前記識別機の通路両側に設置され、前記紙幣、有価証券または証明証が前記レンズセット上方を通過することを特徴とする請求項１記載の電磁波干渉および静電干渉を防止するレンズモジュール。
【請求項１１】
識別機内に使用され、紙幣、有価証券または証明証の識別を行うレンズモジュールであり、
前記レンズモジュールのレンズ台は予め設けられた回路基板上に固定され、前記レンズ台は導電材料から製造され、前記レンズ台内部には複数の穿孔が設けられ、
前記レンズモジュールのレンズセットはレンズ台上方に固定され、
複数の識別部材が前記回路基板上に電気的に接続され、前記複数の識別部材はレンズ台の穿孔底部に位置し、前記穿孔上方のレンズセットとお互いに対応し、前記回路基板上の複数の識別部材の周囲にはアース部が設置され、前記アース部と前記導電材料から製造されたレンズ台とによってアース回路が形成されることを特徴とする電磁波干渉および静電干渉を防止するレンズモジュール。
【請求項１２】
前記レンズ台上表面には、前記レンズセットが固定される環状槽が凸設されることを特徴とする請求項１１記載の電磁波干渉および静電干渉を防止するレンズモジュール。
【請求項１３】
前記レンズ台外側辺には前記回路基板上に螺合固定される螺合部がそれぞれ設けられ、前記回路基板のアース部には螺合孔が設けられ、ボルトが前記回路基板背面から前記螺合孔を貫通して前記螺合部内に螺合固定されることを特徴とする請求項１１記載の電磁波干渉および静電干渉を防止するレンズモジュール。
【請求項１４】
前記レンズセットは平坦なベース部を備え、前記ベース部上表面には複数の配列した円弧凸部が設けられ、前記ベース部下表面には前記円弧凸部に対応した複数の平坦部が設けられ、前記平坦部は円柱状を呈し、対応する前記穿孔内に固定されることを特徴とする請求項１１記載の電磁波干渉および静電干渉を防止するレンズモジュール。
【請求項１５】
前記レンズセット上方には上蓋が設置され、前記レンズ台とモジュール構造を形成し、前記上蓋側辺には下方に湾曲した掛合片が設けられ、前記レンズ台側辺表面には前記掛合片に対応した掛合部が凸設されることを特徴とする請求項１１記載の電磁波干渉および静電干渉を防止するレンズモジュール。
【請求項１６】
前記上蓋表面には複数の配列した貫通孔が設けられ、前記複数の貫通孔は前記レンズセットの円弧凸部に対応することを特徴とする請求項１５記載の電磁波干渉および静電干渉を防止するレンズモジュール。
【請求項１７】
前記導電材料は、亜鉛、ニッケル、銅、その他金属または金属合金などの導電率の優れた材料であることを特徴とする請求項１１記載の電磁波干渉および静電干渉を防止するレンズモジュール。
【請求項１８】
前記複数の識別部材は、ＬＥＤまたは光受信器であることを特徴とする請求項１１記載の電磁波干渉および静電干渉を防止するレンズモジュール。
【請求項１９】
前記複数の識別部材の接続脚と前記回路基板のアース部とは分離していることを特徴とする請求項１１記載の電磁波干渉および静電干渉を防止するレンズモジュール。
【請求項２０】
前記レンズモジュールは、前記識別機の通路両側に設置され、前記紙幣、有価証券または証明証が前記レンズセット上方を通過することを特徴とする請求項１１記載の電磁波干渉および静電干渉を防止するレンズモジュール。
【考案の詳細な説明】
【技術分野】
【０００１】
本考案は、電磁波干渉および静電干渉を防止するレンズモジュールに関し、特に、識別機内に使用され、紙幣、有価証券または証明証の識別を行うレンズモジュールに関する。
【背景技術】
【０００２】
科学技術が発達し、多くの公共の場所において現代人の求める利便性および迅速性を実現するために例えばカード販売機、切符販売機または両替機などの自動販売機が設置されている。自動販売機によって人件費を大幅に節約できるだけでなく、利用者に多くの利便性を提供しており、現在の自動販売機には硬貨識別機および紙幣識別機が使用されている。
【０００３】
貨幣経済が始まって以来、偽造貨幣の問題は販売者および消費者にとって頭の痛い問題であり、コンピュータ技術の進歩に伴い、コンピュータを使用して紙幣のスキャン、コピーおよび印刷を行って偽造紙幣を製造することが容易になったので、現在市場に流通する紙幣には各種の偽造防止技術が施されている。目に見える部分として、材料、インクおよび図柄などにおいて消費者が容易に本物の紙幣を識別できるようになっており、更に肉眼では識別できない精巧な偽造防止技術が施されており、識別機の複数の識別部材から生成される多種の光線によって様々な紙幣の特徴が識別され、紙幣の額面および真偽が判断される。
【０００４】
自動販売機の発展に対応するため、精密な紙幣識別機においては識別時に受ける電磁的影響によって発生する信号干渉の問題を解決する必要があり、一般に識別機に影響を与えるノイズ干渉の原因は大きく分けて二つある。一つは識別機の各電子素子からの電磁波干渉であり、もう一つは携帯電話信号または無線電波通信など外部からの電磁波干渉である。通常、自動販売機に設置される識別機は紙幣の偽造防止特性に対して光源識別を行い、受信機が識別後に取得した検出数値を拡大し、その紙幣の真偽を判断する。しかし、識別機が識別を行うとき外部からの高周波電波干渉を受けてノイズが発生した場合、受信機は干渉信号を増幅して誤検出を行うのでこの問題を如何に解決するかは業界が改善を求めていた問題であった。
【０００５】
導体であれ、非導体であれ、特定の状況下において電荷が発生して蓄積され、ほぼ全ての物質は静電気を発生させる。自動販売機において、内部の識別機に紙幣、有価証券または証明証（更にＩＣカードなど）が投入されるとき、その多くはローラによってその紙幣、有価証券または証明証を導入し、真偽の識別または額面の確認を行う。しかし、識別機内のケーシングまたはローラは絶縁材料（例えばプラスチックまたはゴム）で構成されるので簡単に、紙幣、有価証券または証明証と摩擦が発生して静電気が発生し、その静電気の電位は１０ＫＶにも達する。蓄積される静電気の大きさはローラの駆動速度と関連性があり、ローラの回転が速いほど生成される静電荷の蓄積速度は速くなり、この種の識別機は使用時に下記の欠点を有する。
【０００６】
１．長時間の使用後、ローラと紙幣、有価証券または証明証との摩擦によって発生した静電気がプラスチックケーシング上に大量に蓄積して放出されず、静電気が一定程度蓄積したとき放電され、精密な識別機のチップ素子が静電干渉を受けて故障してしまい、識別機の波形信号の正確性が影響を受ける。また、識別機は外部からの電磁波干渉の影響を受ける可能性があり、ノイズを増幅して識別機が誤検出を行った場合、識別精度が低下したり、識別ミスによって運転が停止したりする可能性もあり、管理人のいない自動販売機にとって長時間におよぶ運転停止は業者に重大な損失を与えることになる。
【０００７】
２．自動販売機がタバコ、アルコール、薬品またはその他の規制品を販売する場合、消費者の年齢または身分をチェックする必要があるので、識別機を利用して消費者の証明証を識別して購入可能かどうかを確認する。この証明証識別の過程において、関連データは識別機のメモリー内に保存される。そのデータは警察が犯罪被疑者を追跡するとき有用な情報となる場合があり、購入時間、購入場所または購入商品などを知ることができる。静電干渉または電磁波干渉によって内部のメモリーが破壊された場合、その重要なデータが消失してしまうことになる。
【０００８】
３．静電気が大量に蓄積後、放電状態となったとき、識別機内部の電子素子および回路基板が電撃されて破損したり、寿命が短くなったり、メモリーが破壊されて重要な保存データが消失したりして修理コストが掛かってしまう。
【０００９】
４．静電気の放電現象によって識別機が破壊されたり、放電によって発生する火花によって可燃気体または可燃物質（例えば紙幣）が燃えたりし、特に管理人がいない自動販売機においては火花によって容易に自動販売機の火災または爆発が発生し、人員または財産が被害を受ける可能性がある。
【００１０】
従って、如何に上述の従来技術の欠点を解決し、正確且つ安定性の高い紙幣、有価証券または証明証の真偽の識別を行い、識別機の制限ある空間内に大量の静電気を吸収して電磁波干渉を防止する設備を設置し、静電気が信号識別を干渉する欠点を解決するかは本業界において改善が望まれていた事項であった。
【００１１】
そこで、本考案者は、上述の欠点に鑑みて、関連資料を収集し、長年の経験および幾度もの試作を経て、ついに本考案の電磁波干渉および静電干渉を防止するレンズモジュールを案出した。
【特許文献１】特開平０６−４５０９０号公報
【特許文献２】特開２００２−３０２２８６号公報
【考案の開示】
【考案が解決しようとする課題】
【００１２】
本考案の第１の目的は、導電特性を有するレンズ台が識別部材上方に固定されて電磁波遮蔽および静電気除去を行い、電磁波ノイズが識別部材の光受信器によって増幅され、識別時に波形の正確性が影響を受けるのを防止し、同時に識別機に蓄積した大量の静電気を直接除去して放電時の電子素子に対する電撃を防止し、識別部材の紙幣、有価証券または証明証に対する識別率、安定性、正確性および耐久性を高め、識別部材の誤検出率および故障率を低下させることによって管理人のいない自動販売機の偽造貨幣の識別率を高め、故障によって長時間運転が休止することのない電磁波干渉および静電干渉を防止するレンズモジュールを提供することにある。
本考案の第２の目的は、伝送装置によって導入された紙幣、有価証券または証明証を識別するとき、伝送装置と紙幣、有価証券または証明証とが摩擦して静電気が発生し、プラスチックケーシング上に蓄積して放出されず、静電気が一定程度蓄積したとき放電して識別部材が容易に静電干渉の影響を受けて紙幣、有価証券または証明証の誤検出または故障をもたらすので、レンズ台の導電材料によって蓄積した静電気を吸収し、静電気を回路基板のアース部へ導いて除去する電磁波干渉および静電干渉を防止するレンズモジュールを提供することにある。
本考案の第３の目的は、自動販売機がタバコ、アルコール、薬品またはその他の規制品を販売する場合、消費者の年齢または身分のチェックを行い、そのデータを識別機のメモリー内に保存して消費者が購入可能かどうかを確認する必要があるので、メモリーが電磁波ノイズ干渉または静電干渉を受けて破壊されるのを防止するために、レンズ台の導電材料によって電磁遮蔽または大量の静電気の除去を行い、重要なデータが消失するのを防止する電磁波干渉および静電干渉を防止するレンズモジュールを提供することにある。証明証が識別される過程において識別および保存されたデータは警察が犯罪被疑者を追跡するとき有用な情報となる場合があり、購入時間、購入場所または購入商品などの関連データの記録を知ることができる。
【００１３】
本考案の第４の目的は、静電気が大量に蓄積されて放電状態になったとき、識別機内部の電子素子および回路基板が電撃されて破損したり、寿命が短くなったり、メモリーが破壊されて重要な保存データが消失したりしてしまうので、レンズ台の導電材料によって大量に蓄積した静電気を吸収し、静電気を回路基板のアース部に導いて除去し、識別機内部の電子素子および回路基板の使用寿命を延長し、故障率および修理コストを低減する電磁波干渉および静電干渉を防止するレンズモジュールを提供することにある。
本考案の第５の目的は、静電気の放電現象によって識別機が破壊されたり、放電によって発生する火花によって可燃気体または可燃物質（例えば紙幣）が燃えたりするので、表面に導電層が鍍金されたレンズ台によって大量に静電気を除去し、火花によって自動販売機が火災を起こしたり、爆発したりして人および財産が被害を受けるのを防止する電磁波干渉および静電干渉を防止するレンズモジュールを提供することにある。
本考案の第６の目的は、識別機の体積は小型化されており、その内部空間は限られているが、大量の静電気は伝送装置と紙幣、有価証券または証明証との摩擦部分に発生するので、識別を行うレンズモジュールのレンズ台表面に導電層を鍍金して大量に発生する静電気を除去することによって、静電気除去装置またはアース部材を外部に設置する必要がなく、元来の部材位置および空間を変更せずに大量の静電気の除去を行うことができる電磁波干渉および静電干渉を防止するレンズモジュールを提供することにある。
【課題を解決するための手段】
【００１４】
上述の課題を解決するために、請求項１の考案は、識別機内に使用され、紙幣、有価証券または証明証の識別を行うレンズモジュールであり、レンズモジュールのレンズ台は予め設けられた回路基板上に固定され、レンズ台内部には複数の穿孔が設けられ、レンズ台表面には導電層が設けられ、レンズモジュールのレンズセットはレンズ台上方に固定され、複数の識別部材が回路基板上に電気的に接続され、複数の識別部材はレンズ台の穿孔底部に位置し、穿孔上方のレンズセットとお互いに対応し、回路基板上の複数の識別部材の周囲にはアース部が設置され、アース部とレンズ台の導電層とによってアース回路が形成されることを特徴とする電磁波干渉および静電干渉を防止するレンズモジュールである。
【００１５】
請求項２の考案は、レンズ台上表面には、レンズセットが固定される環状槽が凸設されることを特徴とする請求項１記載の電磁波干渉および静電干渉を防止するレンズモジュールである。
【００１６】
請求項３の考案は、レンズ台外側辺には回路基板上に螺合固定される螺合部がそれぞれ設けられ、回路基板のアース部には螺合孔が設けられ、ボルトが回路基板背面から螺合孔を貫通して螺合部内に螺合固定されることを特徴とする請求項１記載の電磁波干渉および静電干渉を防止するレンズモジュールである。
【００１７】
請求項４の考案は、レンズセットは平坦なベース部を備え、ベース部上表面には複数の配列した円弧凸部が設けられ、ベース部下表面には円弧凸部に対応した複数の平坦部が設けられ、平坦部は円柱状を呈し、対応する穿孔内に固定されることを特徴とする請求項１記載の電磁波干渉および静電干渉を防止するレンズモジュールである。
【００１８】
請求項５の考案は、レンズセット上方には上蓋が設置され、レンズ台とモジュール構造を形成し、上蓋側辺には下方に湾曲した掛合片が設けられ、レンズ台側辺表面には掛合片に対応した掛合部が凸設されることを特徴とする請求項１記載の電磁波干渉および静電干渉を防止するレンズモジュールである。
【００１９】
請求項６の考案は、上蓋表面には複数の配列した貫通孔が設けられ、複数の貫通孔はレンズセットの円弧凸部に対応することを特徴とする請求項５記載の電磁波干渉および静電干渉を防止するレンズモジュールである。
【００２０】
請求項７の考案は、導電層は、亜鉛、ニッケル、銅、その他金属または金属合金などの導電率の優れた材料からなることを特徴とする請求項１記載の電磁波干渉および静電干渉を防止するレンズモジュールである。
【００２１】
請求項８の考案は、複数の識別部材は、ＬＥＤまたは光受信器であることを特徴とする請求項１記載の電磁波干渉および静電干渉を防止するレンズモジュールである。
【００２２】
請求項９の考案は、複数の識別部材の接続脚と回路基板のアース部とは分離していることを特徴とする請求項１記載の電磁波干渉および静電干渉を防止するレンズモジュールである。
【００２３】
請求項１０の考案は、レンズモジュールは、識別機の通路両側に設置され、紙幣、有価証券または証明証がレンズセット上方を通過することを特徴とする請求項１記載の電磁波干渉および静電干渉を防止するレンズモジュールである。
【００２４】
請求項１１の考案は、識別機内に使用され、紙幣、有価証券または証明証の識別を行うレンズモジュールであり、レンズモジュールのレンズ台は予め設けられた回路基板上に固定され、レンズ台は導電材料から製造され、レンズ台内部には複数の穿孔が設けられ、レンズモジュールのレンズセットはレンズ台上方に固定され、複数の識別部材が回路基板上に電気的に接続され、複数の識別部材はレンズ台の穿孔底部に位置し、穿孔上方のレンズセットとお互いに対応し、回路基板上の複数の識別部材の周囲にはアース部が設置され、アース部と導電材料から製造されたレンズ台とによってアース回路が形成されることを特徴とする電磁波干渉および静電干渉を防止するレンズモジュールである。
【００２５】
請求項１２の考案は、レンズ台上表面には、レンズセットが固定される環状槽が凸設されることを特徴とする請求項１１記載の電磁波干渉および静電干渉を防止するレンズモジュールである。
【００２６】
請求項１３の考案は、レンズ台外側辺には回路基板上に螺合固定される螺合部がそれぞれ設けられ、回路基板のアース部には螺合孔が設けられ、ボルトが回路基板背面から螺合孔を貫通して螺合部内に螺合固定されることを特徴とする請求項１１記載の電磁波干渉および静電干渉を防止するレンズモジュールである。
【００２７】
請求項１４の考案は、レンズセットは平坦なベース部を備え、ベース部上表面には複数の配列した円弧凸部が設けられ、ベース部下表面には円弧凸部に対応した複数の平坦部が設けられ、平坦部は円柱状を呈し、対応する穿孔内に固定されることを特徴とする請求項１１記載の電磁波干渉および静電干渉を防止するレンズモジュールである。
【００２８】
請求項１５の考案は、レンズセット上方には上蓋が設置され、レンズ台とモジュール構造を形成し、上蓋側辺には下方に湾曲した掛合片が設けられ、レンズ台側辺表面には掛合片に対応した掛合部が凸設されることを特徴とする請求項１１記載の電磁波干渉および静電干渉を防止するレンズモジュールである。
【００２９】
請求項１６の考案は、上蓋表面には複数の配列した貫通孔が設けられ、複数の貫通孔はレンズセットの円弧凸部に対応することを特徴とする請求項１５記載の電磁波干渉および静電干渉を防止するレンズモジュールである。
【００３０】
請求項１７の考案は、導電材料は、亜鉛、ニッケル、銅、その他金属または金属合金などの導電率の優れた材料であることを特徴とする請求項１１記載の電磁波干渉および静電干渉を防止するレンズモジュールである。
【００３１】
請求項１８の考案は、複数の識別部材は、ＬＥＤまたは光受信器であることを特徴とする請求項１１記載の電磁波干渉および静電干渉を防止するレンズモジュールである。
【００３２】
請求項１９の考案は、複数の識別部材の接続脚と回路基板のアース部とは分離していることを特徴とする請求項１１記載の電磁波干渉および静電干渉を防止するレンズモジュールである。
【００３３】
請求項２０の考案は、レンズモジュールは、識別機の通路両側に設置され、紙幣、有価証券または証明証がレンズセット上方を通過することを特徴とする請求項１１記載の電磁波干渉および静電干渉を防止するレンズモジュールである。
【考案の効果】
【００３４】
レンズ台が導電材料から製造されるか、外縁表面に導電層が鍍金され、導電特性を有するレンズ台が識別部材上方に固定されて電磁波遮蔽および静電気除去を行うことによって、電磁波ノイズが識別部材の光受信器によって増幅されて識別時に波形の正確性が影響を受けるのを防止し、同時に識別機に蓄積した大量の静電気を直接除去して放電によって電子素子が電撃されるのを防止するので、識別部材の紙幣、有価証券または証明証に対する識別精度を高め、更に識別機の安定性、正確性および耐久性を高め、更に故障率を低下させて故障によって運転が長時間休止するのを防止できる。
【考案を実施するための最良の形態】
【００３５】
本考案の目的、特徴および効果を示す実施例を図に沿って詳細に説明する。
図１は、本考案の好適な電磁波干渉および静電干渉を防止するレンズモジュールの実施例を示す斜視図である。図２は本考案の実施例（図１）の立体分解図である。図３は、本考案の他の実施例の立体分解図である。図から分かるように、本考案のレンズモジュールはレンズ台１、レンズセット２および上蓋３から構成される。
【００３６】
レンズ台１上表面にはレンズセット２が固定される環状槽１１が凸設され、環状槽１１が取り巻く内部表面には複数の貫通した穿孔１２が設けられ、レンズ台１外側辺には回路基板４に螺合固定される螺合部１３が設けられ、螺合部１３に隣り合う一側には掛合部１４が設けられる。レンズ台１下表面には穿孔１２に対応した収容部１５が設けられ、レンズ台１下表面の周囲には回路基板５上に固定される固定部１６が延伸する。
【００３７】
レンズセット２はレンズ台１の環状槽１１内に固定され、レンズセット２は平坦なベース部２１を備え、ベース部２１上表面には複数の配列した円弧凸部２２が設けられる。ベース部２１下表面には円弧凸部２２に対応する複数の平坦部２３が設けられ、平坦部２３は円柱状であり、対応する穿孔１２内に固定される。
【００３８】
上蓋３はレンズセット２上方に設置され、レンズ台１とモジュール構造を形成し、上蓋３の上表面には複数の配列した貫通孔３１が設けられ、複数の貫通孔３１はレンズセット２の円弧凸部２２に対応する。上蓋３の下表面には貫通孔３１に連通した収容槽３２が形成され、収容槽３２には環状槽１１および環状槽１１内に固定されたレンズセット２が対応して収容され、上蓋３の両側辺には掛合部１４に掛合される下方に湾曲した掛合片３３が設けられる。
【００３９】
上述の部材を組み立てるとき、先ずレンズ台１表面に導電層４を鍍金する。導電層４は亜鉛、ニッケル、銅、その他の金属または金属合金などの導電性に優れた材料である。その後、レンズセット２をレンズ台１の環状槽１１内に圧入して固定し、レンズセット２の平坦部２３をレンズ台１の対応する穿孔１２内に進入させて固定し、上蓋３をレンズセット２上方に設置し、同時に上蓋３の両側の掛合片３３をレンズ台１の掛合部１４に掛合して環状槽１１内に固定されたレンズセット２を上蓋３の収容槽３２内に収容する。このようにしてレンズセット２の円弧凸部２２を上蓋３の貫通孔３１に対応させることができ、本考案の実施例のレンズモジュールが形成される。
【００４０】
図２は、本考案の実施例を示す立体分解図である。図４は、本考案の実施例を回路基板上に設置した状態を示す断面図である。図に示すように、本実施例のレンズモジュールを使用するとき、先ずレンズ台１を回路基板５上に設置する。回路基板５上には複数のＳＭＴ型の識別部材５１が配列されている。識別部材５１はＬＥＤまたは光受信器であり、複数の識別部材５１の周囲にはアース部５２が設けられ、識別部材５１の接続脚５１１はアース部５２と分離される。レンズ台１の固定部１６を回路基板５上の所定の固定孔５３に固定した後、複数の識別部材５１をレンズ台１の対応する収容部１５内に設置することができ、更に、レンズ台１の螺合部１３を回路基板５上の螺合孔５４に対応させることができる。螺合孔５４の位置はアース部５２の位置に開設することができる。
【００４１】
前記レンズ台１が回路基板５上に固定された後、レンズ台１表面に鍍金された導電層４を回路基板５のアース部５２と電気的に接触させることができ、ボルト５５が回路基板５背面から螺合孔５４を貫通し、レンズ台１の螺合部１３内に螺合固定される。このようにして導電層４とアース部５２は緊密に接触し、識別部材５１が紙幣、有価証券または証明証７の識別動作を行うとき、レンズ台１表面の導電層４によって大量の蓄積された静電気が吸収され、回路基板５のアース部５２に導かれて除去され、大量の静電気が蓄積されて放電し、識別部材５１が干渉を受けるのを防止し、同時に外部からの電磁波干渉を遮蔽して識別信号の波形誤差が発生するのを防止し、識別部材の安定性、正確性および耐久性を高めることができる。
【００４２】
本考案の実施例のレンズ台１は、導電層４を鍍金せずに直接導電材料から製造することができ、その導電材料として亜鉛、ニッケル、銅、その他金属または金属合金などの導電率の優れた材料が採用できる。レンズ台１を回路基板５上に固定するとき、直接導電材料によって製造されたレンズ台１とアース部５２とでアース回路を形成すればよい。また、導電層４の鍍金は必要または設計に応じてレンズ台１表面の一部または全体に形成することができ、レンズ台１が回路基板５に固定されるとき、レンズ台１表面の導電層４がアース部５２に接触してアース回路を形成すればよい。
上述の実施形態は本考案の好適な実施例を示したものであり、本考案の範囲を制限するものではなく、本考案の明細書および図面の内容を運用した簡易な修飾および同等効果の変更は全て本考案に含まれる。
【００４３】
図５は本考案の実施例の使用時の状態を示す断面図である。図に示すように、本考案のレンズモジュールは主に紙幣、有価証券または証明証７の識別に使用される。識別部材５１は紙幣、有価証券または証明証７に対して真偽判定および身分認識を行い、主に二つのレンズモジュールが相互に対応するような構造にし、一方のレンズモジュールが光を発射し（識別部材５１はＬＥＤ）、他方のレンズモジュールが光を受信する（識別部材５１は光受信器）。一方の識別部材５１（ＬＥＤ）がレンズ台１の穿孔１２に向けて光を射出したとき、光線はレンズセット２の平坦部２３へ照射され、レンズセット２の屈折作用によって光線は上方の円弧凸部２２から平行に射出され、平行に射出された光線は他のレンズ台１のレンズセット２上に照射され、レンズセット２の円弧凸部２２から入射した後、レンズセット２による屈折作用によって最後に平坦部２３から光線が集中して識別部材５１（光受信器）上に集中し、これによって光源の波長の強弱が検出される。
【００４４】
上述の識別部材５１（即ちＬＥＤ）は様々な波長のパルス光を放出でき、そのＬＥＤ内に同時に複数の異なる波長のＬＥＤチップを封装することができ、各ＬＥＤチップの波長は６１５ｎｍ〜６３５ｎｍの赤色光、５１５ｎｍ〜５３２ｎｍの緑色光、４６０ｎｍ〜４７５ｎｍの青色光および透過力の更に強い８５０ｎｍの第１の赤外線光または９４０ｎｍの第２の赤外線光をそれぞれ照射することができるので、ＬＥＤが照射する異なる波長の透過光は紙幣、有価証券または証明証７上の偽造防止特性および厚さに適用させることができ、同一の位置に異なる波長のパルス光を照射することによって、その紙幣、有価証券または証明証７の真偽を識別することができる。紙幣、有価証券または証明証７は更にトラベラーズチェックまたは証券などを含み、前述の効果を達成する構造および装置は本考案に含まれ、簡易な修飾および同等効果の変更は全て本考案に含まれる。
【００４５】
図６は、本考案の実施例を識別機に設置した状態を示す断面図である。図から分かるように、本考案のレンズモジュールは主に一般の自動販売機の識別機６内などに使用され、識別機６内には構造が同一の上下に対応したレンズモジュールが設けられ、先ず紙幣、有価証券または証明証７が通路６１から進入し、伝送装置６２によって紙幣、有価証券または証明証７が二つのレンズモジュール間に送られて識別が行われる。このとき、一側の識別部材５１（即ちＬＥＤ）は順番に異なる波長のパルス光を放出し、パルス光はレンズセット２の平坦部２３から入射して弧状凸部２２から平行な光束として紙幣、有価証券または証明証７の表面に照射され、所定面積の検出区域を形成し、その後、光束は紙幣、有価証券または証明証７の他の表面から透過し、他側のレンズセット２の弧状凸部２２に進入し、レンズセット２の平坦部２３から他方の識別部材５１（即ち光受信器）内に集中し、受信後の異なる波長の光線の透過率に基づいて信号を生成し、図形出力および強度分布検出を行い、最後に識別機６内の制御ユニット（図示せず）によって内部に設定された基準数値と受信された各波長の透過率数値とが比較されて紙幣、有価証券または証明証７の真偽が分析される。
【００４６】
光源検出の判断方式を下記に示す。
第１の判断方式としては、紙幣、有価証券または証明証７の紙質を判別するものであり、紙幣、有価証券または証明証７に異なる波長の光を照射し、紙幣、有価証券または証明証７表面の検出区域に異なる透光率が生成されるので、異なる波長の光線の透光率と所定値と対比して紙幣、有価証券または証明証７の真偽を判断する。第２の判断方式としては、紙幣、有価証券または証明証７のインクを利用するものであり、異なる波長の光の励起および濾過によって特定の透過光が生成され、その特定の透過光を受信することによって所定値と対比することができ、紙幣、有価証券または証明証７の真偽を判断する。
【００４７】
従って、本考案の実施例は下記の長所を有する。
１．導電特性を有するレンズ台１が識別部材５１上方に固定されて電磁波遮蔽および静電気除去を行い、電磁波ノイズが識別部材５１の光受信器によって増幅されて識別時に波形の正確性が影響を受けるのを防止し、同時に識別機６に蓄積した大量の静電気を直接除去することによって放電して電子素子が電撃されるのを防止し、識別部材５１の紙幣、有価証券または証明証７に対する識別率、安定性、正確性および耐久性を高め、識別部材５１の誤検出率および故障率を低下させて管理人のいない自動販売機の偽造貨幣の識別率を高め、故障による長時間の運転休止がない。
【００４８】
２．自動販売機がタバコ、アルコール、薬品またはその他の規制品を販売する場合、消費者の年齢または身分のチェックを行い、そのデータを識別機６のメモリー内に保存して消費者が購入可能かどうかを確認する必要があるので、メモリーが電磁波ノイズ干渉または静電干渉を受けて破壊されるのを防止するために、表面に導電層４が鍍金されたレンズ台１によって電磁遮蔽または大量の静電気の除去を行い、重要なデータが消失するのを防止する。証明証が識別される過程において識別および保存されたデータは警察が犯罪被疑者を追跡するとき有用な情報となる場合があり、購入時間、購入場所または購入商品などの関連データの記録を知ることができる。
【００４９】
３．静電気が大量に蓄積されて放電状態になったとき、識別機６内部の電子素子および回路基板５が電撃されて破損したり、寿命が短くなったり、メモリーが破壊されて重要な保存データが消失したりしてしまうので、レンズ台１の表面に鍍金された導電層４によって大量に蓄積した静電気を吸収し、静電気を回路基板５のアース部５２に導いて除去し、識別機６内部の電子素子および回路基板５の使用寿命を延長し、故障率および修理コストを低減する。
【００５０】
４．静電気の放電現象によって識別機６が破壊されたり、放電によって発生する火花によって可燃気体または可燃物質（例えば紙幣）が燃えたりするので、表面に導電層４が鍍金されたレンズ台１によって大量の静電気を除去し、火花によって自動販売機が火災を起こしたり、爆発したりして人および財産が被害を受けるのを防止する。特に管理人のいない自動販売機にとってこれは最も重要な解決すべき課題である。
【００５１】
５．識別機６の体積は小型化されており、その内部空間は限られており、大量の静電気は伝送装置６２と紙幣、有価証券または証明証７との摩擦部分に発生するので、識別を行うレンズモジュールのレンズ台１表面に導電層４を鍍金して大量に発生する静電気を除去することによって、静電気除去装置またはアース部材を外部に設置する必要がなく、元来の部材位置および空間を変更せずに大量の静電気の除去を行うことができる。
【００５２】
レンズ台１表面に鍍金された導電層４と回路基板５上のアース部５２とが電気的に接続され、大量に蓄積された静電気をレンズ台１の導電層４によって除去でき、それによってレンズ台１底部の識別部材５１の識別率を高める点が本考案の最も重要な技術特徴であり、上述の詳細な説明は本考案の実施例を示すものであり、本考案の範囲を制限するものではなく、本考案の主旨に基づく修飾および変更は全て本考案に含まれる。
【図面の簡単な説明】
【００５３】
【図１】本考案の実施例を示す斜視図である。
【図２】本考案の実施例を示す立体分解図である。
【図３】本考案の他の実施例を示す立体分解図である。
【図４】本考案の実施例を回路基板上に設置した状態を示す断面図である。
【図５】本考案の実施例の使用時の状態を示す断面図である。
【図６】本考案の実施例を識別機に設置した状態を示す断面図である。
【符号の説明】
【００５４】
１    レンズ台
１１  環状槽
１２  穿孔
１３  螺合部
１３  掛合部
１５  収容部
１６  固定部
２    レンズセット
２１  ベース部
２２  円弧凸部
２３  平坦部
３    上蓋
３１  貫通孔
３２  収容槽
３３  掛合片
４    導電層
５    回路基板
５１  識別部材
５１１接続脚
５２  アース部
５３  固定孔
５４  螺合孔
５５  ボルト
６    識別機
６１  通路
６２  伝送装置
７    紙幣、有価証券または証明証
【図１】
0003135140.tif 000003
【図２】
0003135140.tif 000004
【図３】
0003135140.tif 000005
【図４】
0003135140.tif 000006
【図５】
0003135140.tif 000007
【図６】
0003135140.tif 000008